(57)【要約】【課題】使用者が一動作で簡単にベッドから降りることができるグリップスイッチ及び介護用ベッドを提供する。【解決手段】支軸１１に装着されたグリップ１２を支軸１１の径方向に変位可能に設け、支軸１１とグリップ１２との間にグリップ１２の変位動作に基づいて切り替え操作されるスイッチ７を設けた。【選択図】図３
2008067771.tif 000002
【特許請求の範囲】
【請求項１】
支軸に装着されたグリップを前記支軸の径方向に変位可能に設け、前記支軸と前記グリップとの間に前記グリップの変位動作に基づいて切り替え操作されるスイッチを設けたことを特徴とするグリップスイッチ。
【請求項２】
ベッド本体の背上げ部又は膝上げ部の少なくとも一方が昇降駆動する介護用ベッドにおいて、前記ベッド本体に設けられた介助バーにグリップを前記解除バーの径方向に変位可能に設け、前記介助バーと前記グリップとの間に前記グリップの変位動作に基づいて切り替え操作されるスイッチを設け、前記スイッチを前記背上げ部又は前記膝上げ部の昇降駆動部と連係したことを特徴とする介護用ベッド。
【発明の詳細な説明】
【技術分野】
【０００１】
この発明は、介護用に使用されるグリップスイッチ及び介護用ベッドに関するものである。
【背景技術】
【０００２】
従来から、病人等の介護用に使用される介護用ベッドが知られている。この介護用ベッドは、ベッドに横たわる者の起き上がり動作を補助するものであって、例えば、ベッドの近傍にベッド昇降用のスイッチが設けられ、使用者がそのスイッチを押すと上半身を支えるベッドの背上げ部が電動機構等によって上昇し、使用者の上体を起こし易くするようになっている。そして、上体が起き上がった使用者が介助なしで自力でベッドから降りる場合には、使用者はベッドに設けられた介助バー等に装着されているグリップを把持して、介助バーを利用してベッドから降りることができる（例えば、特許文献１参照）。
【特許文献１】特開平１１−１０４１９０号公報
【発明の開示】
【発明が解決しようとする課題】
【０００３】
ところで、上述の従来技術では、ベッド昇降用のスイッチと介助バーのグリップとが離れた位置に配置されているため、使用者がベッドから自力で降りる場合においては、スイッチを押してから介助バーのグリップを把持する必要がある。このため、ベッドに横たわっている使用者が自力でベッドから降りるまでの動作が一動作で完結せず、操作が煩わしいという課題がある。
【０００４】
そこで、この発明は、使用者が一動作で簡単にベッドから降りることができるグリップスイッチ及び介護用ベッドを提供するものである。
【課題を解決するための手段】
【０００５】
上記の課題を解決するために、請求項１に記載した発明は、支軸に装着されたグリップを前記支軸の径方向に変位可能に設け、前記支軸と前記グリップとの間に前記グリップの変位動作に基づいて切り替え操作されるスイッチを設けたことを特徴とする。
このように構成することで、グリップを動作させるだけでスイッチの切り替え操作を行うことができる。
【０００６】
請求項２に記載した発明は、ベッド本体の背上げ部又は膝上げ部の少なくとも一方が昇降駆動する介護用ベッドにおいて、前記ベッド本体に設けられた介助バーにグリップを前記解除バーの径方向に変位可能に設け、前記介助バーと前記グリップとの間に前記グリップの変位動作に基づいて切り替え操作されるスイッチを設け、前記スイッチを前記背上げ部又は前記膝上げ部の昇降駆動部と連係したことを特徴とする。
このように構成することで、介助バーに装着されたグリップを動作させるだけでベッド本体の背上げ部又は膝上げ部の昇降駆動部と連携したスイッチの切り替え操作を行うことができる。
【発明の効果】
【０００７】
請求項１に記載した発明によれば、グリップを動作させるだけでスイッチの切り替え操作を行うことができるため、グリップそのものをスイッチとすることができる。
【０００８】
請求項２に記載した発明によれば、介助バーに装着されたグリップを動作させるだけでベッド本体の背上げ部又は膝上げ部の昇降駆動部と連携したスイッチの切り替え操作を行うことができるため、使用者がグリップを把持して動かせば背上げ部や膝上げ部を昇降させることができる。このため、例えば、使用者がグリップを動作させて背上げ部を上昇させた後、そのままグリップが装着された介助バーを利用すれば、使用者は一動作で簡単にベッド本体から降りることが可能となる。
【発明を実施するための最良の形態】
【０００９】
次に、この発明の第一実施形態を図１〜図７に基づいて説明する。
図１に示すように、介護用ベッド１は、使用者Ｕを支えるベッド本体２とベッド本体２の側縁に設けられた介助バー３とを備えたものである。ベッド本体２は、使用者Ｕの上半身を支える背上げ部４と下半身を支える膝上げ部５とで分割構成されている。また、ベッド本体２の床側には背上げ部４及び膝上げ部５を昇降させる昇降駆動部６が設けられている。この昇降駆動部６は、介助バー３に設けられている後述のスイッチ７と電気的に接続されており、スイッチ７のＯＮ操作に基づいて駆動するようになっている。
【００１０】
図２に示すように、介助バー３は、使用者Ｕが立ち上がろうとした際等に把持するためのものであって、介助バー本体８の先端にグリップスイッチ９がボルト１０によって締結固定されている。
【００１１】
図３〜図５に示すように、グリップスイッチ９は、介助バー本体８に取り付けられた円柱状の支軸１１に筒状のグリップ１２が外装され、これら支軸１１とグリップ１２との間にスイッチ７が設けられたものである。
支軸１１にはグリップ１２を装着するための凹部１３が支軸１１の全周に形成されている。この凹部１３によって支軸１１の凹部１３形成部分は断面略四角形状になっており、側面１４ａ，１４ｂ、上面１５、下面１６を形成している。
【００１２】
この支軸１１に形成された上面１５には凹部１９が形成されており、この凹部１９内に、スイッチ７が設けられている。
スイッチ７は、ベッド本体２に設けられた昇降駆動部６を操作するためのものであって、図示しない電源に電気的に接続されている。スイッチ７のグリップ１２側上端にはレバー７ａが設けられており、このレバー７ａが押されることでスイッチ７がＯＮ状態になる。また、支軸１１の凹部１９には略コの字状に形成された板バネ２０が設けられている。板バネ２０は、グリップ１２に対して反発力を付勢するものである。
【００１３】
グリップ１２は、使用者Ｕが把持する部分であって、支軸１１の凹部１３に装着されている。このグリップ１２の内周面１７は支軸１１の断面略四角形状に対応するように断面略四角形に形成され、グリップ１２の支軸１１に対する周方向への回転が規制されるようになっている。また、グリップ１２の内周面１７と支軸１１の上面１５との間には隙間１８が形成されている。この隙間１８によってグリップ１２が支軸１１の下面１６側に向かって移動可能になっている。そして、グリップ１２が下面１６側へ移動し、グリップ１２の内周面１７と支軸１１の上面１５とが当接すると支軸１１の上面１５に設けられたスイッチ７のレバー７ａが押されスイッチ７がＯＮ状態になる（図５参照）。
【００１４】
支軸１１に対して下面１６側へ移動したグリップ１２には前述した板バネ２０によって反発力が付勢される。そして、グリップ１２は上面１５側へと押し戻されるようになっている（図３参照）。したがって、グリップ１２は、常にグリップ１２の内周面１７と支軸１１の上面１５との間に隙間１８を確保した姿勢を保つようになっている。
【００１５】
さらに、グリップ１２の軸方向の長さＬは、支軸１１の凹部１３の軸方向の長さと略一致するように設定されている。このように凹部１３の軸方向の両壁面１３ａ，１３ｂにグリップ１２の軸方向の両端面１２ａ，１２ｂを沿わすことで、グリップ１２の軸方向への移動を規制すると共に、グリップ１２の軸方向への傾きを規制している。
【００１６】
また、支軸１１の先端には受付スイッチ２１が設けられている。この受付スイッチ２１はグリップ１２の誤動作によってスイッチ７が切り替え操作されることを防止するためのものである。つまり、この受付スイッチ２１を操作することで初めてスイッチ７の切り替え操作が有効となり、この受付スイッチ２１を操作しない限りグリップ１２の動作によってスイッチ７の切り替え操作が行えないようになっている。
【００１７】
次に、介護用ベッド１の動作について説明する。
図６、図７に示すように、まず、使用者Ｕは、平坦なベッド本体２に横になった状態から立ち上がろうとする場合において、介助バー３に設けられたグリップスイッチ９を把持し、そして、受付スイッチ２１を押す。尚、グリップスイッチ９は、そのグリップスイッチ９内に設けられたスイッチ７のレバー７ａが使用者Ｕと反対側に、つまり、図６中上側を向くようにして設けられている。  
【００１８】
次に、使用者Ｕがグリップ１２を把持し、グリップ１２を手前に引く。すると、グリップ１２によってスイッチ７のレバー７ａが押されてスイッチ７がＯＮ状態になり、昇降駆動部６が起動する。そして、昇降駆動部６によってベッド本体２の背上げ部４が上昇する。この後、例えば、使用者Ｕが介護用ベッド１から自力で降りる場合にはグリップ１２を把持したままの状態で介助バー３を利用しながら降りることができる。
【００１９】
尚、この動作についての説明においては、グリップスイッチ９のスイッチ７のレバー７ａが使用者Ｕと反対側に向いた状態で設けられている場合について説明したが、このスイッチ７のレバー７ａが使用者Ｕ側、つまり、図６中下側を向いた状態で設けられていてもよい。この場合、使用者Ｕは、介助バー３に設けられたグリップスイッチ９を把持した後、グリップ１２を使用者Ｕとは反対側に（図６中上方に向かって）押し上げるとスイッチ７のレバー７ａが押されてスイッチ７がＯＮ状態になり、そして、昇降駆動部６によってベッド本体２の背上げ部４が上昇される。
【００２０】
また、この動作についての説明においては、スイッチ７のレバー７ａが一回押されると背上げ部４が上昇される場合について説明したが、ｎ回押すと背上げ部４が上昇されるようにしてもよい。さらに、背上げ部４を下降させる場合や膝上げ部５を昇降させる場合は、例えば、ｎ回押されることで背上げ部４が上昇されるのに対して、ｎ＋１回で背上げ部４が下降し、ｎ＋２回で膝上げ部５が上昇、ｎ＋３回で膝上げ部５が下降されるようにしてもよい。つまり、これら背上げ部４の昇降と膝上げ部５の昇降がグリップ１２の動作回数に基づいて行われるようにすることで使い分けできればよい。
【００２１】
したがって、上述の第一実施形態によれば、使用者Ｕが介助バー３に設けられたグリップスイッチ９を一度把持すれば、グリップ１２を把持したままの状態でスイッチ７を操作して背上げ部４を上昇させ、そして、そのまま介助バー３を利用して介護用ベッド１から降りることができる。このため、使用者Ｕは、介護用ベッド１のベッド本体２に横になった状態から一動作で簡単に介護用ベッド１から降りることができる。
【００２２】
また、例えば、使用者Ｕがグリップ１２を手前に引くことで背上げ部４が上昇するようにした場合には、使用者Ｕが横になった状態から介助バー３を把持して起き上がろうとする動作を補助する役割を担う。このため、使用者Ｕの腕の筋力トレーニングになる効果を奏することができる。
【００２３】
さらに、グリップスイッチ９は、使用者Ｕがグリップ１２を握っただけではスイッチ７のレバー７ａが押されることはなく、その把持したグリップ１２を動かすことで初めてスイッチ７のレバー７ａが押されてスイッチ７がＯＮ状態になる。これによって初めて昇降駆動部６の切り替え操作を行うことができる。このため、例えば、図９、図１０に示すように、支軸３０に押し釦３１が設けられたものや、支軸３０にレバー３２が設けられ、そのレバー３２を引くことでスイッチが操作されるもののように、支軸３０を把持しただけでスイッチ操作ができるものと比較して、誤動作の虞がない。よって、例えば、使用者Ｕが緊急でベッド本体２の背上げ部４の昇降動作を止めたいと思った際に、使用者Ｕに力が入ってスイッチを握りこんでしまう場合による誤動作を回避することができる。そして、グリップスイッチ９の先端に受付スイッチ２１を設けることで、さらに誤動作をなくすことが確実なものにすることができる。
【００２４】
そして、グリップ１２の軸方向の長さＬを支軸１１の凹部１３の軸方向の長さと略一致するように設定し、凹部１３の軸方向の両壁面１３ａ，１３ｂにグリップ１２の軸方向の両端面１２ａ，１２ｂを沿わすことで、グリップ１２の軸方向への移動を規制すると共に、グリップ１２の軸方向への傾きを規制している。このため、グリップ１２を支軸１１に対して平行にスライド移動させることができる。
【００２５】
次に、この発明の第二実施形態を図２〜図５を援用し、図８に基づいて説明する。尚、第一実施形態と同一態様には、同一符号を付して説明する。また、以下の実施形態において、介助バー３の介助バー本体８の先端にグリップスイッチ４０がボルト１０によって締結固定されている点、グリップスイッチ４０の支軸４１に筒状のグリップ４２が外装されている点、支軸４１の先端に受付スイッチ２１が設けられている等の基本的構成は前記第一実施形態と同様である。
【００２６】
図８に示すように、支軸４１にはグリップ４２を装着するための凹部４３が支軸４１の全周に形成されている。この凹部４３によって支軸４１の凹部４３形成部分が断面略四角形に形成されている。支軸４１に形成された断面略四角形の一側面には段付凹部４４が形成されている。
この段付凹部４４には略Ｚ状に形成された板バネ５０がグリップ４２の上面５１側と下面５２側とに跨るようにして設けられている。板バネ５０は、グリップ４２に対して反発力を付勢するものである。
【００２７】
グリップ４２は使用者Ｕが把持する部分であって、支軸４１の凹部４３に装着されている。このグリップ４２の内周面５３は支軸４１の断面略四角形状に対応するように断面略四角形に形成され、グリップ４２の支軸４１に対する周方向への回転が規制されるようになっている。また、グリップ４２の内周面５３と支軸４１の上面５１との間には隙間４８が形成され、グリップ４２の内周面５３と支軸４１の下面５２との間には隙間４９が形成されている。これら隙間４８，４９によってグリップ４２が支軸４１に対して上下方向に向かって移動可能になっている。
【００２８】
また、グリップ４２の軸方向の長さＬは、支軸４１の凹部４３の軸方向の長さと略一致するように設定されている。このように凹部４３の軸方向の両壁面４３ａ，４３ｂにグリップ４２の軸方向の両端面４２ａ，４２ｂを沿わすことで、グリップ４２の軸方向への移動を規制すると共に、グリップ４２の軸方向への傾きを規制している。
【００２９】
さらに、グリップ４２と支軸４１の上面５１との間にはスイッチ４６が設けられ、グリップ４２と支軸４１の下面５２との間にはスイッチ４７が設けられている。これらスイッチ４６，４７は、図示しない電源に電気的に接続されている。スイッチ４６，４７のグリップ４２側上端にはそれぞれレバー４６ａ，４７ａが設けられている。これらレバー４６ａ，４７ａがグリップ４２の動作によって押されることでスイッチ４６，４７がＯＮ状態になる。つまり、グリップ４２が支軸４１の下面５２側へ移動し、グリップ４２の内周面５３と支軸４１の上面５１とが当接するとスイッチ４６のレバー４６ａが押されスイッチ４６がＯＮ状態になり、グリップ４２が支軸４１の上面５１側へ移動し、グリップ４２の内周面５３と支軸４１の下面５２とが当接するとスイッチ４７のレバー４７ａが押されスイッチ４７がＯＮ状態になる。
【００３０】
支軸４１に対して下面５２側や上面５１側に移動したグリップ４２には前述した板バネ２０によって反発力が付勢される。そして、グリップ４２が下面５２側に移動すると上面５２側へ押し戻され、グリップ４２が上面５１側に移動すると下面５２側に押し戻されるようになっている。したがって、グリップ１２は、常にグリップ４２の内周面１７と支軸１１の上面１５及び下面１６との間にそれぞれ隙間１８，１９を確保した姿勢を保つようになっている。
【００３１】
したがって、上述の第二実施形態によれば、第一実施形態と同様の効果に加え、使用者Ｕが介助バー３に設けられたグリップ４２を手前に引いた場合と押し上げた場合とを使い分けることができ、これによってベッド本体２の背上げ部４又は膝上げ部５を上昇させたり下降させたりすることができる。
【００３２】
尚、この発明は上述した実施形態に限られるものではない。例えば、介助バー３の介助バー本体８の先端にグリップスイッチ９，４０が設けられ、このグリップスイッチ９，４０の支軸１１，４１にグリップ１２，４２が外装されている場合について説明したが、支軸１１，４１が介助バー本体８と一体成形され、その一体成形された介助バー本体にグリップ１２，４２が外装されたものであってもよい。
また、上述の実施形態では、例えば、グリップスイッチ９，４０の支軸１１，４１の先端に受付スイッチ２１が設けられている場合について説明したが、受付スイッチ２１が設けられていない場合においてもグリップスイッチ９，４０を使用することができる。
【００３３】
さらに、上述の実施形態では、例えば、グリップ１２の軸方向の長さＬを支軸１１の凹部１３の軸方向の長さと略一致するように設定し、凹部１３の軸方向の両壁面１３ａ，１３ｂにグリップ１２の軸方向の両端面１２ａ，１２ｂを沿わすことで、グリップ１２の軸方向への移動を規制すると共に、グリップ１２の軸方向への傾きを規制している場合について説明したが、これらの構造に限らず、グリップ１２の軸方向の両端面１２ａ，１２ｂをガイドできる構造であればよい。
【００３４】
そして、上述の実施形態では、例えば、スイッチ７，４６，４７は、それぞれレバー７ａ，４６ａ，４７ａが設けられたものである場合について説明したが、レバー７ａ，４６ａ，４７ａに代わって釦によって切り替え操作が行えるタイプのスイッチであってもよい。
また、上述の実施形態では、例えば、略コの字状に形成された板バネ２０や略Ｚ字状に形成された板バネ５０によってグリップ１２，４２に反発力を付勢する場合について説明したが、板バネ２０，５０はグリップ１２，４２に対して反発力を付勢することができる形状であればよく、板バネ２０，５０に代わってコイルスプリング状のものであってもよい。
【００３５】
さらに、上述の実施形態では、例えば、ベッド本体２の側縁に介助バー３が設けられた場合について説明したが、使用者Ｕが介助バー３を利用できるように設置されていればこの限りではない。
そして、上述の実施形態では、例えば、ベッド本体２が背上げ部４と膝上げ部５とに二分割構成されている場合について説明したが、ベッド本体２の背上げ部４と膝上げ部５とが三分割以上に分割構成されていてもよい。
【図面の簡単な説明】
【００３６】
【図１】本発明の実施形態における介護用ベッドの斜視図である。
【図２】本発明の実施形態における介助バーの平面一部断面図である。
【図３】本発明の第一実施形態におけるグリップスイッチの縦断面図である。
【図４】図３のＡ−Ａ線に沿う断面図である。
【図５】本発明の第一実施形態におけるグリップスイッチの縦断面図である。
【図６】本発明の実施形態における使用者がベッド本体に横になっている状態を示す平面図である。
【図７】本発明の実施形態におけるベッド本体の背上げ部が上昇した状態を示す平面図である。
【図８】本発明の第二実施形態におけるグリップスイッチの縦断面図である。
【図９】本発明の実施形態における従来のスイッチの平面図である。
【図１０】本発明の実施形態における従来のスイッチの平面図である。
【符号の説明】
【００３７】
１  介護用ベッド        
２  ベッド本体        
３  介助バー    
４  背上げ部  
５  膝上げ部
６  昇降駆動部
７  スイッチ
９  グリップスイッチ
１１  支軸
１２  グリップ
４１  支軸
４２  グリップ
４６  スイッチ
４７  スイッチ
【図１】
2008067771.tif 000003
【図２】
2008067771.tif 000004
【図３】
2008067771.tif 000005
【図４】
2008067771.tif 000006
【図５】
2008067771.tif 000007
【図６】
2008067771.tif 000008
【図７】
2008067771.tif 000009
【図８】
2008067771.tif 000010
【図９】
2008067771.tif 000011
【図１０】
2008067771.tif 000012